(57)【要約】【課題】二重渦巻形状のように発光管を曲折させて平面形状に構成された放電灯を用いて小型化を可能にし、且つ赤外線信号による遠隔制御を確実に行うことができる。【解決手段】発光管１ａを曲折させて平面形状に構成された二重渦巻形状の放電灯１と、リモコン装置９から送信された赤外線信号を受信する受光部４と、受光部４で受信した赤外線信号Ｐ１に応じて放電灯１の点灯制御を行う点灯装置２とを備え、放電灯１と点灯装置２と受光部４とは、器具本体１０内で発光管１ａの平面形状を含む水平方向の平面Ｘ１に沿って近接して配置されるとともに、放電灯１と受光部４とが点灯装置３を挟む位置に配置されている。【選択図】図１
2008204731.tif 000002
【特許請求の範囲】
【請求項１】
発光管を曲折させて平面形状に構成された放電灯と、リモコン装置から送信された赤外線信号を受信する受光部と、受光部で受信した赤外線信号に応じて放電灯の点灯制御を行う点灯装置とを備え、放電灯と受光部と点灯装置とは同一平面に沿って配置されるとともに、放電灯と受光部とが点灯装置を挟む位置に配置されることを特徴とする照明器具。
【請求項２】
前記放電灯と受光部と点灯装置とは、前記発光管の平面形状を含む平面に沿って、放電灯と受光部とが点灯装置を挟む位置に配置されることを特徴とする請求項１記載の照明器具。
【請求項３】
前記点灯装置は、長辺部と短辺部を有する長尺状に形成され、
前記放電灯と受光部と点灯装置とは、前記発光管の平面形状を含む第１の平面に直交する第２の平面に沿って、放電灯と受光部とが点灯装置を挟む位置に配置され、点灯装置の長辺部が第２の平面に対向する
ことを特徴とする請求項１記載の照明器具。
【請求項４】
前記受光部は、第２の平面の法線方向に指向性を有することを特徴とする請求項３記載の照明器具。
【請求項５】
前記放電灯は、二重渦巻状の放電路を形成し、円盤形状の外観を有することを特徴とする請求項１乃至４いずれか記載の照明器具。
【発明の詳細な説明】
【技術分野】
【０００１】
本発明は、リモコン装置から送信される赤外線信号によって点灯制御される照明器具に関するものである。
【背景技術】
【０００２】
従来、リモコン装置が送信する赤外線信号によって点灯制御される照明器具があり、放電灯の点灯動作が遠隔制御される。例えば、図３に示すように、２つの環形蛍光灯１０１を照明用笠１０４内に上下方向に重ねて配置し、照明用笠１０４を天井から吊り下げたペンダント型の照明器具Ａ１００では、照明用笠１０４と天井１１０との間に赤外線反射体１０５が装着され、赤外線信号の受光部１０２がその受光面を赤外線反射体１０５に対向させて照明用笠１０４の上方部分に設けられ、さらに赤外線信号の受光部１０３が下方からの赤外線信号を受信するために、その受光面を下方に向けて環形蛍光灯１０１の内周側に設けられている（例えば、特許文献１参照）。
【０００３】
さらに、図４に示すように、天井面２１０に直接取り付けられたシーリング型の照明器具Ａ２００では、２つの環形蛍光灯２０１を器具本体２０３内に上下方向に重ねて配置し、赤外線信号の受光部２０２が環形蛍光灯２０１の外周側に設けられている（例えば、特許文献２参照）。
【０００４】
また、近年、省エネルギー、省資源のため、図５（ａ）（ｂ）に示すような二重渦巻状の１本の発光管１ａを具備した放電灯１がある。発光管１ａは、上方から見て渦巻の中央を垂直に貫く仮想軸Ｙの廻りを旋回する２つの渦巻部１ｄ，１ｅと、この渦巻部１ｄ，１ｅの一端（フィラメントが設けられている側と反対）で両者を連結する連結部１ｆとを有する平面状に形成され、連結部１ｆは、渦巻部１ｄ，１ｅよりも管外径の太くなった膨出部分を有し、放電灯１の点灯時はこの膨出部分が最冷点となる。発光管１ａの管軸の全部またはその殆どは、仮想軸Ｙと略直交する一平面上に形成され、渦巻部１ｄ，１ｅは、連結部１ｆから両端部１ｂ，１ｃ側に移るに従って、仮想軸Ｙから離れるように同一方向（図５（ａ）中のＳ方向）に旋回しており、発光管１ａは、同じＳ方向に旋回している２つの渦巻部１ｄ，１ｅを有する二重渦巻形状に形成されて、仮想軸Ｙに直交する方向から見ると円盤形状となり、発光面が平面状になる。そして、発光管１ａの両端部１ｂ，１ｃには口金１ｇ，１ｈが取り付けられ、口金１ｇ，１ｈは、発光管１ａの両端部１ｂ，１ｃに封着された図示しない電極に接続した一対の電源接続端子ピン１ｉ，１ｊを備える。このような二重渦巻形状の放電灯１は、環形蛍光灯に比べてコンパクトであり、さらに被照射面が円形となる好ましい配光分布を得ることができる（例えば、特許文献３参照）。
【特許文献１】実開平３−１５４９７号公報
【特許文献２】特開平５−４１２８８号公報
【特許文献３】特開２００６−２４４９１２号公報
【発明の開示】
【発明が解決しようとする課題】
【０００５】
照明器具は、放電灯を点灯させるための高周波電力を出力するインバータ回路からなる点灯装置を備えており、この高周波電力によって点灯した放電灯が発する光には、インバータ回路の発振周波数である数十ＫＨｚの周波数成分が含まれる。また、リモコン装置が送信する赤外線信号の副搬送波の周波数は一般に３３〜４０ＫＨｚであり、赤外線信号の副搬送波の周波数とインバータ回路の発振周波数とは互いに近接している。
【０００６】
したがって、赤外線信号の受光部が放電灯の近傍に配置されると、受光部に放電灯の光が入りやすくなり、受光部で受信した信号に、放電灯の光に含まれるインバータ回路の発振周波数成分がノイズとして重畳されるため、点灯時に行われるリモコン装置による点灯制御が不能になったり、誤動作を引き起こすことがある。このような問題を解決するためには、受光部と放電灯とを離して配置すればよいが（例えば、受光部を器具本体の外部に配置する）、器具が大型になってしまう。
【０００７】
また、図５（ａ）（ｂ）に示すような二重渦巻形状の放電灯１を用いる場合、環形蛍光灯を用いた照明器具のようにランプの内周側に点灯装置を収納することができないため、器具の薄型化、小型化が困難であった。
【０００８】
本発明は、上記事由に鑑みてなされたものであり、その目的は、二重渦巻形状のように発光管を曲折させて平面形状に構成された放電灯を用いて小型化を可能にし、且つ赤外線信号による遠隔制御を確実に行うことができる照明器具を提供することにある。
【課題を解決するための手段】
【０００９】
請求項１の発明は、発光管を曲折させて平面形状に構成された放電灯と、リモコン装置から送信された赤外線信号を受信する受光部と、受光部で受信した赤外線信号に応じて放電灯の点灯制御を行う点灯装置とを備え、放電灯と受光部と点灯装置とは同一平面に沿って配置されるとともに、放電灯と受光部とが点灯装置を挟む位置に配置されることを特徴とする。
【００１０】
この発明によれば、放電灯と受光部と点灯装置とを同一平面に沿って配置することで、二重渦巻形状のように発光管を曲折させて平面形状に構成された放電灯を用いて小型化が可能になる。さらに、放電灯と受光部との間に点灯装置を配置することで、受光部に放電灯の光が入り難くなり、赤外線信号による遠隔制御を確実に行うことができる。
【００１１】
請求項２の発明は、請求項１において、前記放電灯と受光部と点灯装置とは、前記発光管の平面形状を含む平面に沿って、放電灯と受光部とが点灯装置を挟む位置に配置されることを特徴とする。
【００１２】
この発明によれば、照明器具の厚みは、放電灯と点灯装置と受光部とのうち最も大きい厚み寸法によって決まり、小型化を図ることができる。さらに、放電灯から受光部に向かって発せられた光は点灯装置によって遮られ、受光部に直接入射しないので、受光部で受信した信号に、放電灯の光に含まれる発振周波数成分がノイズとして重畳され難くなり、リモコン装置による遠隔制御が確実に行われる。
【００１３】
請求項３の発明は、請求項１において、前記点灯装置は、長辺部と短辺部を有する長尺状に形成され、前記放電灯と受光部と点灯装置とは、前記発光管の平面形状を含む第１の平面に直交する第２の平面に沿って、放電灯と受光部とが点灯装置を挟む位置に配置され、点灯装置の長辺部が第２の平面に対向することを特徴とする。
【００１４】
この発明によれば、照明器具の寸法は、放電灯の径によって決まり、小型化を図ることができる。さらに、放電灯と受光部との距離は放電灯の長辺分だけ離れているので、受光部で受信した信号に、放電灯の光に含まれる発振周波数成分がノイズとして重畳され難くなり、リモコン装置による遠隔制御が確実に行われる。
【００１５】
請求項４の発明は、請求項３において、前記受光部は、第２の平面の法線方向に指向性を有することを特徴とする。
【００１６】
この発明によれば、リモコン装置から照明器具とは異なる方向へ送信された赤外線信号が、壁等で乱反射して受信可能となり、受信感度が高くなる。
【００１７】
請求項５の発明は、請求項１乃至４いずれかにおいて、前記放電灯は、二重渦巻状の放電路を形成し、円盤形状の外観を有することを特徴とする。
【００１８】
この発明によれば、環形蛍光灯に比べてコンパクトであり、さらに被照射面が円形となる好ましい配光分布を得ることができる。
【発明の効果】
【００１９】
以上説明したように、本発明では、二重渦巻形状のように発光管を曲折させて平面形状に構成された放電灯を用いて小型化を可能にし、且つ赤外線信号による遠隔制御を確実に行うことができるという効果がある。
【発明を実施するための最良の形態】
【００２０】
以下、本発明の実施の形態を図面に基づいて説明する。
【００２１】
（実施形態１）
図１（ａ）（ｂ）は、本実施形態の照明器具Ａ１の構成を示しており、下面を開口した矩形函状の器具本体１０内に、放電灯１と、点灯装置２と、ランプホルダー３と、赤外線信号の受光部４とを収納し、器具本体１の下面開口にはカバー１１を覆設している。器具本体１０は、周囲を４つの側面で囲まれて、その一側面１０ａが構造物の壁Ｗ１等に固定されており、ブラケット型の照明器具Ａ１を構成する。なお、図１（ａ）は照明器具Ａ１を下方から見た平面図（但し、カバー１１は省略）であり、図１（ｂ）は照明器具Ａ１のＢ−Ｂ’断面図である。また、器具本体１０内には、放電灯１の両端が装着されて、点灯装置２が出力する高周波電力を放電灯１へ供給するソケットや、点灯装置２の入出力配線等が配置されているが、その構成は周知であり、説明および図示は省略する。
【００２２】
そして、放電灯１は、背景技術で説明した図５（ａ）（ｂ）に示され、円盤形状に形成されて、その発光面が平面状となる二重渦巻形状であり、上記側面１０ａに対向する側面１０ｂに面して配置され、器具本体１０の上底面に固定されたランプホルダー３によって保持されている。ランプホルダー３は、長方形状のベース部３ａと、ベース部３ａの長手方向の両端部に設けられた保持部３ｂ，３ｂとを備え、保持部３ｂ，３ｂは、ベース部３ａから発光管１ａ側にＵ字状に湾曲しており、当該湾曲部内に発光管１ａの外周を嵌め込むことで、放電灯１の発光面が上下方向を向くように固定している。
【００２３】
点灯装置２は、長尺の矩形函状に形成されて、互いに対向する短辺部２１，２２と、互いに対向する長辺部２３，２４とで外周を構成し、一方の長辺部２３が放電灯１に対向するように、放電灯１の側面１０ａ側に近接して、器具本体１０の上底面に配置されており、外部からの商用電源をインバータ回路で高周波電力に変換して放電灯１へ供給する。その点灯動作（点灯、消灯、調光等）は、リモコン装置９を操作することで送信される赤外線信号Ｐ１を受信した受光部４からの制御信号によって制御される。
【００２４】
受光部４は、赤外線信号の受光面４ａを下方に向けた状態で、点灯装置２の他方の長辺部２４に近接対向して、器具本体１０の上底面に配置されており、リモコン装置９から送信される赤外線信号Ｐ１を受信して、赤外線信号の内容に対応した制御信号を点灯装置２へ出力する。
【００２５】
カバー１１は、放電灯１に対向する箇所を透光パネル１２ａで形成し、さらに受光部４の受光面４ａに対向する箇所を透光パネル１２ｂで形成して、放電灯１が発する光が透光パネル１２ａを介して外部へ放出され、リモコン９からの赤外線信号Ｐ１が透光パネル１２ｂを介して受光部４へ到達する。また、透光パネル１２ａ，１２ｂを１枚の透光パネルで構成してもよい。
【００２６】
上記放電灯１と点灯装置２と受光部４とは、発光管１ａの上記仮想軸Ｙと直交して発光管１ａの平面形状を含む平面Ｘ１（図１（ｂ）参照）に沿って互いに近接して配置されている。すなわち、放電灯１と点灯装置２と受光部４とは、器具本体１０内で発光管１ａの平面形状を含む水平方向の平面Ｘ１に沿って並設されており、照明器具Ａ１の上下方向の寸法（厚み）は、放電灯１と点灯装置２と受光部４とのうち最も大きい上下方向の寸法によって決まり、受光部４を照明器具Ａ１に一体化した上で薄型化を図ることができる。また、点灯装置２の長辺部２３，２４に対向して放電灯１および受光部４を配置することで、器具本体１０の寸法を抑えており、小型化を図ることができる。
【００２７】
さらに、点灯装置２の長辺部２３側には放電灯１を配置し、点灯装置２の長辺部２４側には受光部４を配置しており、放電灯１と受光部４との間に点灯装置２を挟む構成になっている。したがって、放電灯１から受光部４に向かって発せられた光は点灯装置２によって遮られ、受光部４に直接入射しないので、受光部４で受信した信号に、放電灯１の光に含まれる発振周波数成分がノイズとして重畳され難くなり、リモコン装置９による遠隔制御が確実に行われる。
【００２８】
また、器具本体１の上面にも透光パネルを設ければ、上下方向に配光可能な照明器具となり、あるいは器具本体１の上面のみに透光パネルを設ければ、上方向のみに配光可能な照明器具となる。
【００２９】
なお、本実施形態では、壁面取付のブラケット型照明器具で説明したが、天井直付のシーリング型照明器具や、天井から吊り下げたペンダント型照明器具であっても、器具本体内に放電灯１、点灯装置２、受光部４を同様に配置することで、器具の小型化、薄型化を図りながら、赤外線信号による遠隔制御を確実に行うことができる。
【００３０】
（実施形態２）
図２は、本実施形態の照明器具Ａ２の構成を示しており、点灯装置２および赤外線信号の受光部４を収納した矩形函状の器具本体６が、その上端に取り付けたケーブル５を介して天井面Ｗ２に固定され、器具本体６の下端には内面を反射板とした照明用笠７を取り付け、放電灯１およびランプホルダー３を照明用笠７内に収納して、ペンダント型の照明器具Ａ２を構成する。なお、照明用笠７内には、放電灯１の両端が装着されて、点灯装置２が出力する高周波電力を放電灯１へ供給するソケットや、点灯装置２の入出力配線等が配置されているが、その構成は周知であり、説明および図示は省略する。
【００３１】
そして、放電灯１は、背景技術で説明した図５（ａ）（ｂ）に示され、円盤形状に形成されて、その発光面が平面状となる二重渦巻形状であり、下方を開放した照明用笠７内の略中央に配置され、ランプホルダー３によって保持されている。ランプホルダー３は、長方形状のベース部３ａと、ベース部３ａの長手方向の両端部に設けられた保持部３ｂ，３ｂとを備え、保持部３ｂ，３ｂは、ベース部３ａから発光管１ａ側にＵ字状に湾曲しており、当該湾曲部内に発光管１ａの外周を嵌め込むことで、放電灯１の発光面が上下方向を向くように固定している。
【００３２】
点灯装置２は、長尺の矩形函状に形成されて、互いに対向する短辺部２１，２２と、互いに対向する長辺部２３，２４とで外周を構成し、一方の短辺部２１が照明用笠７を介在させて放電灯１に近接対向するよう器具本体６内の下端に配置され（点灯装置２の長辺部２３，２４が平面Ｘ２に対向する）、外部からケーブル５を介して入力された商用電源をインバータ回路で高周波電力に変換して放電灯１へ供給する。その点灯動作（点灯、消灯、調光等）は、リモコン装置９を操作することで送信される赤外線信号を受信した受光部４からの制御信号によって制御される。
【００３３】
受光部４は、赤外線信号の受光面４ａを側方に向けた状態で、器具本体６内の点灯装置２の上方に近接して配置され、リモコン装置９から送信される赤外線信号を受信して、赤外線信号の内容に対応した制御信号を点灯装置２へ出力する。なお、器具本体６は、少なくとも受光面４ａに対向する箇所が透光パネルで構成されている。
【００３４】
上記放電灯１と点灯装置２と受光部４とは、発光管１ａの上記仮想軸Ｙと直交する平面Ｘ１に垂直な平面Ｘ２に沿って互いに近接して配置されている。すなわち、放電灯１と点灯装置２と受光部４とは、器具本体１０内で発光管１ａの上記仮想軸Ｙを含む上下方向の平面Ｘ２に沿って重なるように配置されており、照明器具Ａ１の水平方向の寸法は、主として放電灯１の径によって決まり、受光部４を照明器具Ａ２に一体化した上で小型化を図ることができる。
【００３５】
さらに、点灯装置２の短辺部２１側には放電灯１を配置し、点灯装置２の短辺部２２側には受光部４を配置しており、放電灯１と受光部４との間に点灯装置２の長尺部２３，２４を挟む構成になっている。したがって、放電灯１と受光部４との距離は放電灯１の長辺分だけ離れているので、受光部４で受信した信号に、放電灯１の光に含まれる発振周波数成分がノイズとして重畳され難くなり、リモコン装置９による遠隔制御が確実に行われる。
【００３６】
また、受光部４の受光面４ａを平面Ｘ２の法線方向である側方に向けて配置して、当該方向に赤外線信号受信の指向性を有するので、例えば、リモコン装置４から照明器具Ａ２とは異なる方向へ送信された赤外線信号Ｐ２が、側壁Ｗ３等で乱反射して受信可能となり、受信感度が高くなっている。
【図面の簡単な説明】
【００３７】
【図１】（ａ）（ｂ）実施形態１の照明器具の構成を示す図である。
【図２】実施形態２の照明器具の構成を示す図である。
【図３】従来のペンダント型の照明器具の構成を示す図である。
【図４】従来のシーリング型の照明器具の構成を示す図である。
【図５】（ａ）（ｂ）二重渦巻形状の放電灯の構成を示す図である。
【符号の説明】
【００３８】
Ａ１  照明器具
１  放電灯
１ａ  発光管
２  点灯装置
４  受光部
９  リモコン装置
Ｘ１  平面
【図１】
2008204731.tif 000003
【図２】
2008204731.tif 000004
【図３】
2008204731.tif 000005
【図４】
2008204731.tif 000006
【図５】
2008204731.tif 000007